(57)【要約】【課題】光発電装置で発電される電力に基づいて表示を調整し、以て照度センサーを必須とはしない技術を提供する。【解決手段】光発電装置１は、光発電モジュール１１と共に光発電システムを構成し、光強度推定部１３、輝度取得部１４、制御装置１５、表示部１６が備えられる。光強度推定部１３は、光発電モジュール１１が発電する電力から光発電装置１の周囲光の強度の推定値を得る。輝度取得部１４は周囲光の強度の推定値から表示部１６の輝度に要求される要求値を取得する。制御装置１５は、当該要求値に従った輝度で光発電装置１の稼動状態を表示部１６に表示させる。【選択図】図１
2015176013.tif 000002
【特許請求の範囲】
【請求項１】
光発電モジュールと共に光発電システムの構成要素である光発電装置に備えられ、前記光発電装置の稼動状態を表示する表示部と、
前記光発電モジュールが発電する電力から前記光発電装置の周囲光の強度の推定値を得る光強度推定部と、
前記推定値から前記表示部の輝度に要求される要求値を取得する輝度取得部と、
前記要求値に従った輝度で前記表示部に表示させる制御装置と
を備える表示装置。
【請求項２】
前記光発電装置に設けられて前記周囲光の色度の検出値を得る光センサーを更に備え、
前記制御装置は前記検出値に従った色度で前記表示部を表示させる、請求項１記載の表示装置。
【請求項３】
前記光発電装置に設けられて前記周囲光の輝度の検出値を得る光センサーを更に備え、
前記制御装置は前記要求値及び前記検出値に従った輝度で前記表示部を表示させる、請求項１記載の表示装置。
【請求項４】
前記光発電装置の計時的データから前記表示部の経時変化を推定し、前記経時変化にも従った輝度で前記表示部を表示させる、請求項１記載の表示装置。
【請求項５】
一旦設定された前記要求値が基準データとして保持され、当該基準データに従って前記表示部が表示される、請求項１記載の表示装置。
【請求項６】
人感センサーを更に備え、
前記人感センサーがその検出対象を検出しているときのみ前記制御装置が前記表示部に表示させる、請求項１から５のいずれか一つに記載の表示装置。
【発明の詳細な説明】
【技術分野】
【０００１】
この発明は、光発電モジュールと共に光発電システムの構成要素である光発電装置における表示を調整する技術に関する。
【背景技術】
【０００２】
光発電装置では、光発電モジュールによって得られた電力を一時的に電気自動車や蓄電池などに充電する機能のみならず、光発電モジュールによって得られた電力や蓄電池、電気自動車に充電された電力を交流電力に変換する機能も備える場合がある。
【０００３】
このような光発電装置では、上記充電や変換の動作状況（稼動状態の正常・異常、発電量、周囲温度など）を表示するために表示装置が備えられる。
【先行技術文献】
【特許文献】
【０００４】
【特許文献１】特開２０１０−４１６０９号公報
【特許文献２】特開２０１１−７５７６５号公報
【特許文献３】特開２０１２−１９１３０８号公報
【特許文献４】特許第３８８６９２９号公報
【発明の概要】
【発明が解決しようとする課題】
【０００５】
例えば太陽光を利用した光発電装置は、通常、太陽光のある日中に使用されることが多い。このゆえ光発電装置の稼動時は環境光が強く、表示装置の視認性は悪くなる。
【０００６】
そこで、表示装置の表示に用いられる輝度や色度が予め設定された固定値に限定されていると、十分な視認性を確保するためには、当該固定値を最悪条件にあわせて設定することになる。しかしこれは表示装置で消費される電力を大きくし、発電効率の低下を招来する。
【０００７】
逆に、発電効率を重視して、表示装置の輝度を抑えた場合には、屋外での昼間や設置環境にて他の照明装置などの影響を受ける場合、周囲の環境光（以下「周囲光」とも呼ぶ）によっては表示装置の視認性が低下する。
【０００８】
また表示装置は、通常、常時に点灯して装置の状況を表示し、常時に電力を消費している。しかし表示装置は、異常表示などの危急を要するものを除き、光発電装置を確認する管理者あるいは操作者が、当該装置の状況を知りたいときのみに表示を行っていれば足りる。換言すれば、管理者や操作者が不在のときの表示は、本来的には不要な電力を消費することになる。
【０００９】
また、表示装置は、その使用する時間の経過とともに表示能力（輝度、色度）が変化し、視認性も変化する。しかし従来の技術ではその観点での視認性の維持は提案されていない。
【００１０】
よって上述のような表示装置の輝度、色度は、周囲の環境にあわせて最適に調整し、視認性を向上させつつも消費電力を低減することが望ましい。
【００１１】
特許文献１〜４では、表示装置の輝度、色度を、センサーで検知された周囲光に基づいて調整する技術が開示されている。しかし太陽光発電を利用した調整ではない。
【００１２】
なるほど、特許文献４では、太陽光発電によって充電されたバッテリの電圧に基づいて輝度レベルを決定しているが、主として照度センサーからの得られる周囲照度に基づいている。
【００１３】
本発明は上記事情に鑑み、光発電装置で発電される電力に基づいて表示を調整し、以て照度センサーを必須とはしない技術を提供することを目的とする。
【課題を解決するための手段】
【００１４】
この発明にかかる表示装置の第１の態様は、光発電モジュールと共に光発電システムの構成要素である光発電装置に備えられ、前記光発電装置の稼動状態を表示する表示部と、前記光発電モジュールが発電する電力から前記光発電装置の周囲光の強度の推定値を得る光強度推定部と、前記推定値から前記表示部の輝度に要求される要求値を取得する輝度取得部と、前記要求値に従った輝度で前記表示部に表示させる制御装置とを備える。
【００１５】
この発明にかかる表示装置の第２の態様は、その第１の態様であって、前記光発電装置に設けられて前記周囲光の色度の検出値を得る光センサーを更に備える。前記制御装置は前記検出値に従った色度で前記表示部を表示させる。
【００１６】
この発明にかかる表示装置の第３の態様は、その第１の態様であって、前記光発電装置に設けられて前記周囲光の輝度の検出値を得る光センサーを更に備える。前記制御装置は前記要求値及び前記検出値に従った輝度で前記表示部を表示させる。
【００１７】
この発明にかかる表示装置の第４の態様は、その第１の態様であって、前記光発電装置の計時的データから前記表示部の経時変化を推定し、前記経時変化にも従った輝度で前記表示部を表示させる。
【００１８】
この発明にかかる表示装置の第５の態様は、その第１の態様であって、一旦設定された前記要求値が基準データとして保持され、当該基準データに従って前記表示部が表示される。
【００１９】
この発明にかかる表示装置の第６の態様は、その第１〜５の態様のいずれかであって、人感センサーを更に備える。前記人感センサーがその検出対象を検出しているときのみ前記制御装置が前記表示部に表示させる。
【発明の効果】
【００２０】
この発明にかかる表示装置の第１の態様によれば、光発電装置の周囲が明るい場合には、表示部は輝度が高い表示を行って、必要な視認性を確保する。一方、周囲が暗い場合では、輝度を抑え、表示が視認できる範囲で表示部の消費電力を抑制することができる。このように輝度を制御して、電力消費と視認性とのバランスが適切となる。しかも照度センサーを必須とはしない。
【００２１】
この発明にかかる表示装置の第２の態様によれば、表示部の視認性がより向上する。
【００２２】
この発明にかかる表示装置の第３の態様によれば、表示部の視認性がより向上する。
【００２３】
この発明にかかる表示装置の第４の態様によれば、表示部の視認性の経時変化を低減できる。
【００２４】
この発明にかかる表示装置の第５の態様によれば、工場出荷時の設定ではなく、実際に光発電装置が設置された状況に応じて表示部の輝度を設定できる。
【００２５】
この発明にかかる表示装置の第６の態様によれば、不要な電力の消費が回避される。
【図面の簡単な説明】
【００２６】
【図１】実施の形態で採用される光発電システムの構成を例示するブロック図である。
【図２】光発電システムの設置状況を模式的に示す図である。
【図３】光発電装置の外観を模式的に示す斜視図である。
【図４】光発電モジュールの特性を例示するグラフである。
【図５】制御装置の、その周辺との連携関係を示す模式図である。
【図６】周囲光の輝度変化と、補正量の関係を示すグラフである。
【図７】周囲光の輝度変化と、補正量の関係を示すグラフである。
【図８】周囲光の輝度変化と、補正量の関係を示すグラフである。
【発明を実施するための形態】
【００２７】
図１は、実施の形態で採用される光発電システムの構成を例示するブロック図である。当該光発電システムは、光発電モジュール１１及び光発電装置１を含む。つまり光発電モジュール１１及び光発電装置１は、いずれも当該光発電システムの構成要素である。図２は光発電システムの設置状況を模式的に示し、光発電装置１が屋内に設けられる場合と、屋外に設けられる場合の二つの態様を併せて示している。光発電モジュール１１は屋外に設けられる。例えば光発電モジュール１１は自身に照射された光のエネルギーを電力に変換する機能を有し、通常は太陽光Ｌ１が照射される。光発電モジュール１１が出力する電力は、自身が受ける太陽光の照射量（照射強度）に応じて変化する。
【００２８】
図１に戻り、光発電装置１は電力変換器１２を備える。電力変換器１２は光発電装置１の内部あるいは外部に設けられる蓄電池２（図１では蓄電池２が光発電装置１の外部に設けられる場合を例示する）や、光発電モジュール１１から得られる直流電力を交流電力に変換して出力する。電力変換器１２はＤＣ／ＡＣ変換装置で実現される。
【００２９】
あるいは電力変換器１２は更に、光発電モジュール１１から得られる直流電力をそのまま、あるいはその電圧や電流を適宜に変換して蓄電池２を充電する。蓄電池２は例えば電気自動車に備えられてもよい。なお、図１において電力の伝達を示す矢印は、信号や情報の伝達を示す矢印よりも太い線を用いて表した。
【００３０】
光発電装置１は制御装置１５及び表示部１６を更に備える。表示部１６は、電力変換器１２の稼動状態（例えば光発電モジュール１１から得られる発電電力あるいはその電力量）を含め、光発電装置１の稼動状態を表示する。当該状態の表示は、制御装置１５が、電力変換器１２から得た情報に基づき、表示部１６に行わせる。
【００３１】
図３は光発電装置１の外観を模式的に示す斜視図である。光発電装置１は筐体１０に収納され、表示部１６が筐体１０の外部に露出している。図３では筐体１０において３個の光センサー４と、人感センサー５と、基準値設定スイッチ６とが設けられている態様が示されている。これらについては後述する。
【００３２】
表示部１６で採用される表示用の媒体としては、ＬＥＤ、蛍光灯、電球、液晶パネルなどの表示素子を採用することができる。
【００３３】
光発電装置１において、部品故障などの異常が発生した場合は、早急な安全の確保のためにも、異常の発生、あるいはこれに起因した運転の停止を周囲に示すことが望まれる。従って表示部１６は光発電装置１において露出して設けられる。そしてその視認性は良好であることが望まれる。
【００３４】
＜表示部１６の輝度の制御＞
早朝など日射量が少ない状態では、光発電装置１の周囲光の照射強度も低い。例えば光発電装置１が家１００の内部（屋内）に設けられる場合には窓から屋内に入り込む外光Ｌ２が、この周囲光となる。よって表示部１６の輝度が低くても、相対的に視認性は高い。しかし、日射量が増えるに従い、表示部１６の視認性は低下していく。
【００３５】
そこで本実施の形態において制御装置１５は、後述する要求値に従った輝度で、表示部１６に上記の状態を表示させる。上述のように表示部１６は光発電装置１において露出して視認される。よって上記要求値を、次に説明するようにして、光発電装置１の周囲光の状況から決定する。
【００３６】
光発電装置１は光強度推定部１３及び輝度取得部１４を更に備える。光強度推定部１３は、光発電モジュール１１から、電力変換器１２に入力される電力、電圧或いは電流を監視する。そして光強度推定部１３は当該電力あるいは電流から、光発電装置１の周囲光の強度の推定値を得る。
【００３７】
図４は光発電モジュール１１の特性を例示するグラフである。当該グラフは、光発電モジュール１１に照射する光の照射強度と、最大電力、短絡電流、開放電圧のそれぞれの相対出力との関係を示す。
【００３８】
図４によれば、最大電力、短絡電流、開放電圧はいずれも光の照射強度と一意に関係付いている。特に最大電力、短絡電流は光の照射強度に対する依存性が比例に近い。よってかかる関係（特に最大電力、短絡電流と照射強度との関係）を予め得ておくことにより、光強度推定部１３は、光発電モジュール１１から得られる電力あるいは電流から、光発電モジュール１１に照射する光の照射強度を推定することができる。これにより、光強度推定部１３は周囲光の強度の推定値を得る。
【００３９】
輝度取得部１４は、光強度推定部１３によって得られた推定値から、表示部１６の輝度に要求される上述の要求値を取得する。周囲光の照射強度と適切な輝度との関係を予め得ておくことにより、輝度取得部１４は上記要求値を制御装置１５に出力できる。
【００４０】
このように光強度推定部１３、輝度取得部１４、及び制御装置１５が動作することにより、光発電装置１の周囲光に応じて、表示部１６の輝度を制御する。具体的には例えば、表示部１６に供給する電圧や電流を増減させることで輝度を調整する。これによって周囲が明るい場合には、表示部１６は輝度が高い表示を行って、必要な視認性を確保する。一方、周囲が暗い場合では、輝度を抑え、表示が視認できる範囲で表示部１６の消費電力を抑制することができる。このような輝度の制御は、電力消費と視認性とのバランスを適切にできる観点で望ましい。しかも、周囲光を検出する照度センサーは必須とはならない。
【００４１】
＜周囲光の色度の考慮＞
表示部１６は、単色で表示するタイプ、カラー表示を行うタイプ（例えばＲ，Ｇ，Ｂの３色が準備されている）ものがある。後者の場合、その色度も制御され得る。
【００４２】
図５は制御装置１５の、その周辺との連携関係を示す模式図である。図５において表示部１６は、カラー表示のために赤色を発光する発光素子１６Ｒ、緑色を発光する発光素子１６Ｇ、青色を発光する発光素子１６Ｂの一組と、これらに供給される電圧Ｖｄのみが例示され、その他の構成が省略されている。
【００４３】
制御装置１５が発光素子１６Ｒ，１６Ｇ，１６Ｂの明るさを制御することが、破線矢印で模式的に示されている。具体的には例えば、制御装置１５が発光素子１６Ｒ，１６Ｇ，１６Ｂに流れる電流を調整することで、これらの明るさを制御することができる。
【００４４】
図１も参照して、光発電装置１は光センサー４を更に備える。光センサー４は周囲光の色度を検出する機能を有する。光センサー４で検出された色度は制御装置１５に伝えられる。
【００４５】
表示部１６の視認性は、周囲光の色度によって影響を受ける。例えば日射光の色度が変動することもある。こうした場合、光強度推定部１３及び輝度取得部１４の機能によって得られる（輝度の）要求値を用いても、視認性が不十分になる可能性がある。
【００４６】
そこで制御装置１５は要求値に従った輝度のみならず、光センサー４で検出された色度（色度の検出値）にも従った輝度あるいは色度あるいはその両方で、表示部１６に光発電装置１の状態を表示させる。これにより、表示部１６の視認性がより向上する。
【００４７】
光センサー４は図１、図５に例示されるように一つだけ設けられてもよいし、図３に示されるように複数設けられてもよい。光センサー４が複数設けられる場合には、図３に例示される様に、筐体１０の異なる側面に設けられることが望ましい。異なる側面におけるそれぞれの周囲光の色度を総合的に考慮して、制御装置１５が表示部１６の輝度あるいは色度あるいはその両方を制御できるからである。
【００４８】
＜光発電モジュールへ照射される光以外の輝度の考慮＞
表示部１６には光発電モジュール１１へ照射される太陽光Ｌ１の他、光発電装置１が設置される環境や状況によっては、光発電モジュール１１には照射されない間接光が照射される場合がある。例えば光発電装置１が室内に設けられている場合では、上述のように外光Ｌ２の他、光発電装置１は室内照明２００から照明光Ｌ３を受ける場合がある。あるいは光発電装置１が室外に設けられている場合では、光発電装置１は室外照明３００から照明光Ｌ４を受ける場合がある。これら照明光Ｌ３，Ｌ４は着色されている場合もある。また、照明光Ｌ４は時間帯によって点灯／消灯する場合もある。これらの照明光Ｌ３，Ｌ４が表示部１６の視認性に影響を与える場合がある。つまり、光発電モジュール１１に照射する太陽光Ｌ１以外の周囲光によって、表示部１６の視認性が変わるような場合も考えられる。
【００４９】
そこで上述の光センサー４は、周囲光の輝度を検知するものであってもよい。光センサー４で検出された輝度（輝度の検出値）は制御装置１５に伝えられる。
【００５０】
制御装置１５は要求値のみならず、光センサー４で検出された輝度にも従った輝度で、表示部１６に光発電装置１の状態を表示させる。これにより、表示部１６の視認性がより向上する。
【００５１】
もちろん、ある光センサー４が周囲光の色度を検出し、他の光センサー４が周囲光の輝度を検出し、これらの検出値と要求値とに従った輝度あるいは色度あるいはその両方で、制御装置１５が表示部１６を表示させてもよい。
【００５２】
＜経時変化の考慮＞
表示部１６は、その動作時間が長くなると視認性が劣化する傾向にある。例えば表示部１６が発光素子によって表示を行う場合、当該発光素子に流れる電流を一定とすると、当該発光素子が発光する光の輝度は経時的に低下する。表示部１６が異なる色を発光する発光素子を有している場合（例えば図５の発光素子１６Ｒ，１６Ｇ，１６Ｂ）、それらのそれぞれの輝度が低下することで、適切な色度が維持できなくなる。
【００５３】
このような経時変化の特性は表示部１６について予め了知しておくことができる。例えば表示部１６の生産者から提供される経時的特性であらかじめ把握することができる。
【００５４】
他方、電力変換器１２は、不測の事態に備え、光発電装置１の稼動状況や稼働時間などの計時的データを記憶する機能を有していることが望ましい。そして表示部１６が駆動した時間の総量は、この計時的データから制御装置１５によって容易に計算される。
【００５５】
よってこの総量と経時的特性とに基づいて、表示部１６の経時変化を推定することができる。そして要求値のみならず当該経時変化にも従った輝度あるいは色度あるいはその両方で、制御装置１５が表示部１６に表示させることができる。
【００５６】
このような動作により、表示部１６の経時変化をも考慮して、表示部１６の視認性の経時変化を低減できる。
【００５７】
＜補正用データの格納＞
上述のような、光センサー４から得られた色度の検出値、輝度の検出値、表示部１６の経時変化にも基づいた制御装置１５の動作は次のように把握することができる：輝度取得部１４から得られた要求値に従った表示部１６の輝度の制御を、上記検出値や経時変化によって補正する。このような補正は、予め補正用のデータを用意しておくことで可能となる。
【００５８】
例えば制御装置１５は、発光素子１６Ｒ，１６Ｇ，１６Ｂを発光させる駆動部１５１と、データ保持部１５２とを備える。上記補正用のデータや表示部１６の経時的特性はデータ保持部１５２に予め格納しておくことができる。そして駆動部１５１は上記検出値や経時データに基づいて、要求値に従った輝度や色度を補正して、表示部１６に表示を行わせる。その表示内容は電力変換器１２から得られる。
【００５９】
具体的には例えば駆動部１５１は、最適なＲ，Ｇ，Ｂの色バランスを算出し、発光素子１６Ｒ，１６Ｇ，１６Ｂに流れる電流値を調整する。あるいは表示部１６が液晶表示素子である場合には、これに印加する電圧値を調整し、視認性を向上させて表示部１６に表示させる。
【００６０】
＜基準データの採用＞
光発電モジュール１１へ照射される光の色度が太陽光とは異なれば、その照射強度が同じでも、発電能力が異なる場合も想定される。しかしながら、光発電装置１の工場出荷時の設定（生産時の標準的な設定）においてはかかる相違は考慮されない。よって光発電装置１の工場出荷時において設定される輝度で表示部１６を表示することは視認性が低いことが懸念される。
【００６１】
光センサー４を採用することにより、上述のように、色度や輝度を光発電モジュール１１へ照射される光以外で検出することができる。よって光発電装置１を設置した時の周囲光の色度あるいは輝度を基準データとして採用して、制御装置１５が表示部１６に表示させる輝度や色度を制御することが望ましい。
【００６２】
そこで、光発電装置１は光発電装置１を設置したときの周囲光の輝度あるいは色度あるいはその両方に従って一旦設定された（輝度についての）要求値を、基準データとして記憶する。当該記憶は例えば、光発電装置１を設置したときの要求値を、データ保持部１５２に格納することで実現できる。そして表示部１６は当該基準データに従った輝度で表示する。基準データとしては例えば太陽光Ｌ１の日射量の時間変化に応じた要求値を挙げることができる。
【００６３】
例えば光発電装置１は基準値設定スイッチ６を備えている。駆動部１５１は基準値設定スイッチ６を操作した時点での要求値を、基準データとしてのデータ保持部１５２へ格納する。基準データは輝度の要求値のみならず、光発電装置１を設置したときの周囲光の輝度あるいは色度あるいはその両方に従って一旦設定された色度を採用してもよい。
【００６４】
このようにして制御装置１５は、表示部１６の表示において採用すべき色度あるいは輝度あるいはその両方を、工場出荷時の設定ではなく、実際に光発電装置１が設置された状況に応じて設定することができる。
【００６５】
＜必要時のみ表示＞
表示部１６は、光発電装置１の稼動状態を表示するためのものである。よって表示部１６を読み取る主体、例えば光発電装置１の装置の状態を把握するため管理者や操作者が読み取る時にのみ表示されていればよい。
【００６６】
そこで光発電装置１は人感センサー５を備えることが望ましい。人感センサー５がその検出対象、例えば管理者や操作者を検出したか否か制御装置１５に伝達される。
【００６７】
制御装置１５、より具体的には駆動部１５１は、人感センサー５がその検出対象を検出した場合のみ、表示部１６に表示をさせる（例えば発光素子１６Ｒ，１６Ｇ，１６Ｂへの通電を行う）。
【００６８】
このような人感センサー５と制御装置１５との協働により、表示部１６を読み取る主体が光発電装置１の近傍にいない場合に表示部１６の表示が回避される。これは不要な電力の消費を回避する観点で望ましい。
【００６９】
＜変形＞
視認性については、表示部１６を視認する操作者の年齢や、メガネ（保護メガネも含む）などの光学品の着用の有無、個人的趣向によっても異なる。よってこれら操作者の個人的特性に個別に対応して、表示部１６の輝度や色度が制御されることが望ましい。個人的特性に対応する制御としては、加齢による認識力の低下を補うために、輝度の上昇、色度の変更を行うことが例示できる。光学品に対応する制御としては、着用により認識される色合いの変化や透過光量の減衰などを補うために、輝度の上昇、色度の変更を行うことが例示できる。
【００７０】
よって例えば上述の基準データを、上記個人的特性に応じて手動で調整してもよい。もちろん、個人的特性に限定されず、周囲光の輝度や色度に応じて、基準データを手動によって調整してもよい。
【００７１】
また室外照明３００からの照明光Ｌ４を考慮する場合には、要求値について適宜の修正を施すこともできる。例えば照明光Ｌ４がない場合の輝度補正について、図６のように周囲光の輝度変化が大きいほど、表示部１６の輝度補正の補正量（要求値を得るのに必要な量）を大きくする場合を元にして考える。かかる場合には補正量と周光の輝度との関係は曲線Ｃ１で表される。例えば上述の基準データが曲線Ｃ１に該当する。これに対して、照明光Ｌ４を考慮する場合には、照明光Ｌ４が明るい分だけ補正量を高めることが望ましい。図７はこのように高められた補正量についての関係が曲線Ｃ２として表される。曲線Ｃ２は曲線Ｃ１よりもほぼ一定量（これは照明光Ｌ４の輝度に基づく）高まっている。あるいは太陽光Ｌ１の照射強度が高いほど照明光Ｌ４の影響は小さくなることに鑑みれば、図８の曲線Ｃ３のように周囲光の輝度変化が大きいほど、補正量を高める量を増加させても良い。これにより曲線Ｃ３は曲線Ｃ１よりもその傾斜が大きい。あるいは曲線Ｃ４のように周囲光の輝度変化に対する補正量の関係における非線形性を高めてもよい。あるいは照明光Ｌ４の輝度ではなく、色度に基づいて補正量を修正してもよい。また照明光Ｌ４の影響を受けた状態で、改めて基準値設定スイッチ６を操作し、基準データを設定し直してもよい。
【００７２】
なお、本発明は、その発明の範囲内において、実施の形態及び変形を自由に組み合わせたり、実施の形態及び変形を適宜、変形、省略することが可能である。
【符号の説明】
【００７３】
１  光発電装置、１１  光発電モジュール、１３  光強度推定部、１４  輝度取得部、１５  制御装置、１６  表示部。
【図１】
2015176013.tif 000003
【図２】
2015176013.tif 000004
【図３】
2015176013.tif 000005
【図４】
2015176013.tif 000006
【図５】
2015176013.tif 000007
【図６】
2015176013.tif 000008
【図７】
2015176013.tif 000009
【図８】
2015176013.tif 000010